(57)【要約】  【課題】軽量で取り扱いの容易なスピーカー装置であって大量生産にも適したスピーカー装置を提供する。  【解決手段】本実施形態に係るスピーカー装置１は、内部に少なくとも一端が開放端である略円柱状穴２２が形成されるように、軟質樹脂から一体成型により製造されるエンクロージャー２０と、略円柱状穴２２の開放端の部分を閉鎖するように外向きにエンクロージャー２０に設置されたスピーカーユニット１０と、を備える。エンクロージャー２０の原料である軟質樹脂としては、低密度ポリエチレン、軟質ポリ塩化ビニル又はエチレン−酢酸ビニル共重合体の発泡体を用いる。【選択図】図２
2013012792.tif 000002
【特許請求の範囲】
【請求項１】
内部に少なくとも一端が開放端である略円柱状穴が形成されるように、軟質樹脂から一体成型により製造されるエンクロージャーと、
前記略円柱状穴の開放端の部分を閉鎖するように外向きに前記エンクロージャーに設置されたスピーカーユニットと、
を備えることを特徴とするスピーカー装置。
【請求項２】
前記軟質樹脂は、低密度ポリエチレン、軟質ポリ塩化ビニル又はエチレン−酢酸ビニル共重合体の発泡体であることを特徴とする請求項１記載のスピーカー装置。
【請求項３】
前記エンクロージャーは、外形が直方体形状であると共に、前記略円柱状穴の両端が開放端となるように、前記略円柱状穴が当該エンクロージャーを貫通して形成されていることを特徴とする請求項１又は２記載のスピーカー装置。
【請求項４】
軟質樹脂を原料として射出成型することで、内部に少なくとも一端が開放端である略円柱状穴が形成されたエンクロージャーを製造するエンクロージャー製造工程と、
前記略円柱状の開放端の部分を閉鎖するように外向きに前記エンクロージャーにスピーカーユニットを設置するスピーカーユニット設置工程と、
を備えることを特徴とするスピーカー装置製造方法。
【発明の詳細な説明】
【技術分野】
【０００１】
本発明は、電気信号を音圧振動に変換して音を出すスピーカー装置に関する。
【背景技術】
【０００２】
一般的なスピーカー装置は、スピーカーユニットの裏側から出た音が前側に回り込んで前から出た音を打ち消してしまわないように、スピーカーユニットを取り付けるためのエンクロージャーを備えている。
【０００３】
従来のエンクロージャーは、硬質なため、内部に放射した音が反射をし、エンクロージャー内部で定在波が発生することによる音質の悪化を防ぐため、形状を工夫したり、エンクロージャー内部に吸音材を貼付するといったことが行われていた。さらには、スピーカーユニットの振動がエンクロージャーに伝わって振動し、エンクロージャーが共振音を発することを防ぐために、硬い素材により頑丈なエンクロージャーを形成するといったことが行われていた。
【０００４】
しかし、このような構造のエンクロージャーは、複雑な構造で製造コストが高くなったり、持ち運び等の取り扱いが良くない、といった問題があった。そこで、本発明者は、下記特許文献１及び２に示すように、簡単に製造できて取り扱いの容易なスピーカー装置を提供している。
【０００５】
特許文献１及び２に開示されたスピーカー装置は、柔軟性のあるシートを幾重にも巻いて作られた円筒形エンクロージャーと、この円筒形エンクロージャーの一端の開口部に外向きに設置されたスピーカーユニットとから構成されている。
【先行技術文献】
【特許文献】
【０００６】
【特許文献１】特許第４２６２２９１号公報
【特許文献２】登録実用新案第３１４４３７７号公報
【発明の概要】
【発明が解決しようとする課題】
【０００７】
しかし、上記スピーカー装置を製造するためには、シートを巻き付けた状態で固定してエンクロージャーを作る必要があり、手間やコストがかかり大量生産に適していない。
【０００８】
本発明は、このような課題に鑑みてなされたものであり、軽量で取り扱いの容易なスピーカー装置であって大量生産にも適したスピーカー装置を提供することを目的とする。
【課題を解決するための手段】
【０００９】
上記課題を解決するために、本発明に係るスピーカー装置は、内部に少なくとも一端が開放端である略円柱状穴が形成されるように、軟質樹脂から一体成型により製造されるエンクロージャーと、前記略円柱状穴の開放端の部分を閉鎖するように外向きに前記エンクロージャーに設置されたスピーカーユニットと、を備えることを特徴とする。
【００１０】
また、本発明に係るスピーカー装置製造方法は、軟質樹脂を原料として射出成型することで、内部に少なくとも一端が開放端である略円柱状穴が形成されたエンクロージャーを製造するエンクロージャー製造工程と、前記略円柱状の開放端の部分を閉鎖するように外向きに前記エンクロージャーにスピーカーユニットを設置するスピーカーユニット設置工程と、を備えることを特徴とする。
【００１１】
本発明に係るスピーカー装置によれば、軽量で取り扱いが容易であると共に大量生産にも適している。
【図面の簡単な説明】
【００１２】
【図１】図１は、本発明の実施形態に係るスピーカー装置の斜視図である。
【図２】図２は、本発明の実施形態に係るスピーカー装置の垂直平面による断面図である。
【図３】図３は、本発明の実施形態の変形例１に係るスピーカー装置の斜視図である。
【図４】図４は、本発明の実施形態の変形例１に係るスピーカー装置の垂直平面による断面図である。
【図５】図５は、本発明の実施形態の変形例２に係るスピーカー装置の垂直平面による断面図である。
【図６】図６は、本発明の実施形態の変形例３に係るスピーカー装置の垂直平面による断面図である。
【図７】図７は、本発明に実施形態の変形例４に係るスピーカー装置の水平面による断面図である。
【発明を実施するための形態】
【００１３】
以下、図面を参照しながら、本発明の実施形態に係るスピーカー装置について説明する。図１は、本実施形態に係るスピーカー装置の斜視図であり、図２は、本実施形態に係るスピーカー装置の垂直平面による断面図である。
【００１４】
図１及び図２に示すように、スピーカー装置１は、スピーカーユニット１０、エンクロージャー２０を備えており、本実施形態では、振動を吸収できる軟質樹脂からエンクロージャー２０を一体成型により形成したことを特徴としている。
【００１５】
スピーカーユニット１０は、一般的なダイナミック型スピーカーであり、フレーム１１、振動板（コーン）１２、リング磁石１３、図示しないボイスコイルを備えている。スピーカーユニット１０は、筐体としてのエンクロージャー２０に取り付けて設置される。
【００１６】
エンクロージャー２０は、内部に略円柱形状の略円柱状穴２２が形成された円筒形状の構造体であり、発泡ポリエチレンから一体成型により形成される。略円柱状穴２２は、一方のみが開放された空洞であり、図２に示すように、略円柱状穴２２の一端である上端２３ａは開放端であるのに対して、他端である下端２３ｂは閉鎖端となっている。スピーカーユニット１０は、この開放端（上端）２３ａに外向きとなるように設置されている。
【００１７】
また、エンクロージャー２０の内側表面には、垂直断面において波状の線となるように（図２参照）、凸凹部２４が形成されている。このように、エンクロージャー２０の内表面に凸凹部２４を設置することで、内部定在波を低減させて原音に忠実な音を再生することが可能となる。
【００１８】
ここで、エンクロージャー２０は、低密度ポリエチレンに有機系発泡剤等を加えて熱分解により製造された低密度発泡ポリエチレンを原料として、射出成型により製造される。また、本実施形態に係る発泡ポリエチレンは、見かけ密度0.027g/cm3、25%圧縮硬さ0.050MPaの軟質樹脂である。
【００１９】
このように、軟質樹脂から射出成型によりエンクロージャー２０を一体成型することで、低コストで大量に量産可能である。また、軟質樹脂である低密度発泡ポリエチレンをエンクロージャー２０の原料とすることで、エンクロージャー２０自体が、スピーカーユニット１０の背面から発せられる音波や、振動板１２の振動に対する反作用による振動を減衰させる作用を奏し、エンクロージャー２０からのノイズ発生を防ぐことができる。
【００２０】
従来、エンクロージャーは、スピーカーユニットの裏側から出る音を遮蔽したり、振動板の振動に対する反作用による振動を防止したりするために、木材等の固い材料で振動しないように頑丈に構成されていた。したがって、従来のエンクロージャーを用いたスピーカー装置は、重く取り扱いづらい物が多かった。
【００２１】
これに対して、本実施形態のように軽くて軟らかい軟質樹脂から一体成型されたエンクロージャー２０を用いれば、不要な振動を抑えて良好な音質を確保しつつ、軽くて取り扱い易いスピーカー装置１を提供することができる。
【００２２】
なお、エンクロージャー２０の材料は、適宜変更可能であるが、振動を良好に吸収できるように柔軟性・反発弾性があり、且つ、スピーカーユニット１０を載置した状態で自立できる程度の硬さを有する軟質樹脂である必要がある。このような柔軟性等を満たすエンクロージャー２０の材料としては、見かけ密度が0.050g/cm3以下と軽く、25%圧縮硬さが0.1MPa以下と軟らかい材料を用いることが望ましい。
【００２３】
なお、本発明者らが種々の材料を試したところ、軟質ポリ塩化ビニル（軟質PVC、ソフトビニル）の発泡体やEVA（エチレン−酢酸ビニル共重合体）の発泡体を用いた場合にも良好な結果を得ることができた。
【００２４】
以上、スピーカー装置１の構成について詳細に説明したが、続いて、スピーカー装置１の製造方法について簡単に説明する。製造にあたっては、まず、上述した低密度発泡ポリエチレンを原料として、射出成型によりエンクロージャー２０を製造する。このとき、外形が円柱状の構造体の内部に、一端が開放端であって内表面に凸凹部２４を有するエンクロージャー２０が形成されるように成型する。
【００２５】
続いて、エンクロージャー２０の開放端である上端２３ａを閉鎖するように、上端２３ａの部分に外向きにスピーカーユニット１０を設置すると、スピーカー装置１が完成する。
【００２６】
以上、本実施形態について詳細に説明したが、本実施形態によれば、略円柱状穴２２が形成されたエンクロージャー２０を所定の軟質樹脂で製造しているので、スピーカーユニット１０の裏側から発生した音や、振動板１２の振動によって生じる振動を、エンクロージャー２０自身によって減衰させることができる。
【００２７】
これにより、本実施形態では、エンクロージャー２０内の定在波の発生を防止し、スピーカー装置１から原音に忠実な臨場感ある音を再生することができる。また、エンクロージャー２０を所定の軟質樹脂から形成することで、軽量で取り扱い易いスピーカー装置１とすることができる。
【００２８】
また、本実施形態では、略円柱状穴２２が形成されたエンクロージャー２０を射出成型により一体に形成するので、低コストによる大量生産や品質の均一化が可能であり、安価で高性能なスピーカー装置１を提供することができる。
【００２９】
続いて、上記実施形態の変形例について、図面を参照しながら説明する。下記変形例１〜４は、上述したエンクロージャー２０の形状を変更したことを特徴としているが、エンクロージャーの製造方法やその他の構成については上記実施形態とほぼ同じである。よって、上記実施形態と同様の構成ついては、同じ番号を付して説明を省略する。
【００３０】
（変形例１）
図３は、変形例１に係るスピーカー装置の斜視図、図４は、変形例１に係るスピーカー装置の垂直平面による断面図である。同図に示すように、変形例１に係るスピーカー装置２は、二つのスピーカーユニット１０とエンクロージャー３０を備えている。
【００３１】
エンクロージャー３０は、外形が直方体形状であって、内部を貫通して両端が開放された円柱状穴３２が形成された構造体である。この円柱状穴３２の両端部を閉鎖するように、二つのスピーカーユニット１０がそれぞれ外向きに設置されている。なお、本明細書では、本変形例１のような凸凹部の形成されていない円柱状穴も略円柱状穴に当然に含まれるものとする。
【００３２】
変形例１によれば、上記実施形態と同様の作用効果を奏すると共に、エンクロージャー３０に二つのスピーカーユニット１０が設置されており、ステレオ再生を行うことができる。
【００３３】
また、本変形例１では、スピーカー装置２の外形が直方体形状であり、エンクロージャー３０が軟質材料から形成されているため、軽量のクッション型スピーカーとして使用することが可能である。例えば、使用者がスピーカー装置２を抱えた状態で音を再生させれば、臨場感あふれる音を楽しむことができる。
【００３４】
特に、スマートフォン等の携帯端末をスピーカー装置２につないだ状態で抱えたスピーカー装置２の上におき、携帯端末の楽器アプリケーションを立ち上げて演奏を行えば、使用者のお腹のあたりから臨場感あふれる音が出るため、実際に自分が楽器を演奏しているかのような感覚を味わうことができる。
【００３５】
（変形例２）
図５は、変形例２に係るスピーカー装置の垂直平面による断面図である。同図に示すように、変形例２に係るスピーカー装置３は、単一のスピーカーユニット１０とエンクロージャー３５を備えている。
【００３６】
エンクロージャー３５は、上記実施形態と同様に内部に一端が開放端の円柱状穴３７が形成された略円筒形状の構造体である。但し、本実施形態では、図５に示すように、エンクロージャー３５の開放端である上端が斜面となっており、スピーカーユニット１０も斜めに設置されている。変形例２によれば、上記実施形態と同様の作用効果を奏する。
【００３７】
（変形例３）
図６は、変形例３に係るスピーカー装置の垂直平面による断面図である。同図に示すように、変形例３に係るスピーカー装置４は、二つのスピーカーユニット１０とエンクロージャー４０を備えている。
【００３８】
エンクロージャー４０は、内部に両端が開放端の円柱状穴４２が形成された円筒形状体がＵ字形に折れ曲がった形状の構造体である。この円柱状穴４２の両端部を閉鎖するように、二つのスピーカーユニット１０がそれぞれ外向きに設置されている。変形例３によれば、上記変形例１と同様の作用効果を奏する。
【００３９】
（変形例４）
図７は、変形例４に係るスピーカー装置の水平面による断面図である。同図に示すように、変形例４に係るスピーカー装置５は、四つのスピーカーユニット１０とエンクロージャー４５を備えている。
【００４０】
エンクロージャー４５は、外形が十字形で、内部に十字形に交差した円柱状穴４７が形成された構造体であり、円柱状穴４７の四つの端部は全て開放端となっている。この四つの端部を閉鎖するように、四つのスピーカーユニット１０がそれぞれ外向きに設置されている。変形例４によれば、上記変形例１と同様の作用効果を奏する。
【００４１】
以上、変形例も含めて本発明の実施の形態について詳細に説明したが、本発明は上述した実施形態に限定されるものではなく、本発明の主旨を逸脱しない範囲内で種々の変形が可能である。例えば、軟質樹脂から成型されたエンクロージャーの形状やサイズは、適宜変更可能である。
【００４２】
また、共振波の発生により低音等を強調するために、エンクロージャーの所定の場所に略円柱状穴まで貫通する貫通穴（ポート）を開けても良い。
【００４３】
また、本明細書において、軟質樹脂から一体成型により製造されるエンクロージャーには、射出成型により形成されたエンクロージャーの分割体を、変形させずにそのままの形状で接着剤等により合体させて形成されたエンクロージャーも含む。
【符号の説明】
【００４４】
１，２，３，４，５  スピーカー装置
１０                スピーカーユニット
１１                フレーム
１２                振動板
１３                リング磁石
２０，３０，３５    エンクロージャー
４０，４５          エンクロージャー
２２                略円柱状穴
３２，３７，４２    円柱状穴
４７                円柱状穴
２４                凸凹部
【図１】
2013012792.tif 000003
【図２】
2013012792.tif 000004
【図３】
2013012792.tif 000005
【図４】
2013012792.tif 000006
【図５】
2013012792.tif 000007
【図６】
2013012792.tif 000008
【図７】
2013012792.tif 000009